(57)【要約】【課題】複数の把持部を有する新たな動作玩具を提供する。【解決手段】本体２０の一端側に第１把持部３０が設けられ、第１把持部３０よりも他端側に設けられた操作部６０よりもさらに他端側に第２把持部４０が設けられている。また、第２把持部４０よりも他端側には動作部５０が設けられており、動作部５０は、操作部６０の操作に連動して動作する。そして、第２把持部４０が把持された際には、操作部６０の移動が規制されるようになっている。したがって、第１把持部３０を把持したときには操作部６０の操作により動作部５０を動作させることができ、第２把持部４０を把持したときには操作部６０の移動が規制されるので、動作部５０は動作しない。これにより、複数の把持部を有する新たな動作玩具１０を提供することができる。【選択図】図１
2020089761.tif 000002
【特許請求の範囲】
【請求項１】
使用者が把持可能な第１把持部と、
前記第１把持部を把持した状態で操作可能な操作部と、
使用者が把持可能な第２把持部と、
前記操作部を操作することにより動作する動作部と、を備え、
使用者により前記第２把持部が把持された際に前記操作部の動きが規制される動作玩具。
【請求項２】
請求項１において、
前記操作部及び前記動作部を連結する連結部を有し、
前記第２把持部に設けられた開口部から前記連結部の一部が露出している動作玩具。
【請求項３】
請求項１または請求項２に記載の動作玩具であって、
前記動作部は、略Ｃ字状に形成された一対の挟持片を有し、
前記各挟持片は、互いに凹部が対向するように配置されているとともに、それぞれの一端部が前記本体の連続方向に対して略直交する軸を中心として他端部が近接離反するように回動可能である動作玩具。
【発明の詳細な説明】
【技術分野】
【０００１】
本発明は、動作玩具に関する。
【背景技術】
【０００２】
従来、使用者が複数の保持形態のうちから任意の形態を選択することにより、複数種類の動作を行う玩具が知られている（例えば、特許文献１参照）。
特許文献１に記載の玩具は、全体として剣の柄部分に斧が設けられた形状の主玩具体と、指に装着することができる指輪状の副玩具体とを有する。主玩具体は、副玩具体が発生する磁気を感知して剣演出モードと、斧演出モードとが切り替えられる。
【０００３】
すなわち、使用者が副玩具体を装着した手で柄部分を把持すると、主玩具体は副玩具体からの磁気を検出して剣演出モードとなる。この状態で、主玩具体の柄部分に設けられた第１ボタンを押すことにより第１の演出（音声、光等）が再生される。
一方、使用者が剣の鍔部分よりも刃側を把持すると、主玩具体は副玩具体からの磁気を検出して斧演出モードとなる。この状態で、主玩具体の刃部分に設けられた第２ボタンを押すことにより第２の演出が再生される。
【先行技術文献】
【特許文献】
【０００４】
【特許文献１】特許第５５０９３５５号公報
【発明の概要】
【発明が解決しようとする課題】
【０００５】
しかしながら、前述した特許文献１に記載の玩具は、使用者が玩具を剣として用いた場合も、斧として用いた場合も、同様な演出が再生されるため、遊びの広がりに限界があった。
【０００６】
本発明は、複数の把持部を有する新たな動作玩具を提供することを目的とする。
【課題を解決するための手段】
【０００７】
本発明に係る動作玩具は、使用者が把持可能な第１把持部と、前記第１把持部を把持した状態で操作可能な操作部と、使用者が把持可能な第２把持部と、前記操作部を操作することにより動作する動作部と、を備え、使用者により前記第２把持部が把持された際に前記操作部の動きが規制される。
【０００８】
また、本発明に係る動作玩具において、前記操作部及び前記動作部を連結する連結部を有し、前記第２把持部に設けられた開口部から前記連結部の一部が露出していてもよい。
【０００９】
また、本発明に係る動作玩具において、前記動作部は、略Ｃ字状に形成された一対の挟持片を有し、前記各挟持片は、互いに凹部が対向するように配置されているとともに、それぞれの一端部が前記本体の連続方向に対して略直交する軸を中心として他端部が近接離反するように回動可能であってもよい。
【発明の効果】
【００１０】
本発明によれば、複数の把持部を有する新たな動作玩具を提供することができる。
【図面の簡単な説明】
【００１１】
【図１】本発明の実施形態である動作玩具の全体構成を第１把持部側から見た斜視図である。
【図２】リンク構造の構成及び動作を示す正面図である。
【図３】第１把持部側を把持して動作玩具をマジックハンドとして用いる状態を示す正面図である。
【図４】第２把持部側を把持して動作玩具を剣として用いる状態を示す正面図である。
【発明を実施するための形態】
【００１２】
［本発明の実施の形態］
図１は本発明の実施形態である動作玩具の全体構成を第１把持部側から見た斜視図であり、図２はリンク構造の構成及び動作を示す正面図である。なお、以下の説明においては、図１において上方向を「上」、下方向を「下」、手前方向を「前」、奥側方向を「後」と示すこととする。
【００１３】
本実施形態において、動作玩具１０は、細長い板状の本体２０を有している。本体２０の下部には、下方に向かって厚さが減少するように剣先を模した刃先部２１が形成されており、上端部には、一定幅の峰部２２が形成されている。本体２０は、峰部２２、峰部２２の下方に設けられた左右両側面２３、２３、左右両側面２３、２３から下方に向かって厚さが減少するように形成された刃先部２１を備え。なお、本体２０の左右両側面２３、２３の上部には、両側面２３、２３から内側に凹んだガイド部２４が、長手方向に沿って設けられている。
【００１４】
本体２０の長手方向 （連続方向）に沿った一端側（図１中左端部を言い、「先端側」ともいう。）には、第１把持部３０が本体２０の延長線上に設けられている。第１把持部３０は、使用者が手Ｈで握る（図３参照）ことが可能な把持部材３１を有する。把持部材３１は、峰部２２側において本体２０の峰部２２の延長線上よりも上側に屈曲して設けられている。一方、第１把持部３０における刃先２１側（下側）には、本体２０の刃先２１の延長線上よりも下側に屈曲して刃先２１を延長した延長刃３２が設けられている。
【００１５】
延長刃３２の先端（前端）は、先端側に向かって次第に把持部材３１の先端に近づくように湾曲した剣先３３が形成されている。これにより、把持部材３１と延長刃３２との間には、空間Ｓが形成され、使用者が手Ｈにより把持部材３１を掴むことが可能である。なお、把持部材３１及び延長刃３２も、軽量化の観点から本体２０と同様に中空に形成されるのが望ましい。
【００１６】
本体２０の峰部２２の他端側（図１中右端部を言い、「後端側」ともいう。）には、鍔を模した鍔部２５が形成されており、鍔部２５に対して本体２０の峰部２２と反対側（後側）には、第２把持部４０が設けられている。第２把持部４０は、使用者が手Ｈで握ることが可能である（図４参照）。また、鍔部２５及び第２把持部４０の内側は中空に形成されており、本体２０の内部空間と第２把持部４０の内部空間とは、鍔部２５を挟んで連続している。なお、第２把持部４０には、第２把持部４０の内部空間に連続する開口部４１が設けられている。
【００１７】
第２把持部４０の後端側には、動作部５０が設けられている。動作部５０は、略Ｃ字形状をした第１腕部（挟持片）５１及び第２腕部（挟持片）５２を有しており、第１腕部５１の凹部５１３と第２腕部５２の凹部５２３が対向するように配置されている。第１腕部５１及び第２腕部５２は、各基端部を本体２０の連続方向に対して略直交する支軸５３、５３（図２参照）を中心として回動可能に軸支されており、第１腕部５１及び第２腕部５２を閉じた状態では、第１腕部５１の先端面（一端部）５１１と、第２腕部５２の先端面（一端部）５２１は、接触するようになっている。
【００１８】
なお、第１腕部５１の先端面５１１及び第２腕部５２の先端面５２１に、それぞれ凹凸５１２、５２２（図２参照）を設けて互いにかみ合うようにすることにより、第１腕部５１及び第２腕部５２を閉じた際に、確実に物を把持することができる。また、各凹部５１３、５２３の内面にも凹凸や突起等の滑り止め５１４、５２４（図２参照）を設けることにより、凹部５１３、５２３で物を確実に挟持することもできる。
【００１９】
また、本体２０の峰部２２側には、動作部５０を動作させるための操作部６０が、ガイド部２４に沿って往復移動（図１中矢印Ａ参照）可能に設けられている。操作部６０は、断面コ字形状を呈しており、前端及び後端にストッパ６１が設けられている。これにより、使用者の手Ｈは、前後のストッパ６１間に位置するとともに、前後にずれるのを防止することができる。なお、操作部６０を操作することにより、動作部５０の第１腕部５１及び第２腕部５２を開閉させるためのリンク機構７０を動かすことが可能である。
【００２０】
図２に示すように、リンク機構７０は、動作部５０と操作部６０とを連結し、連動させるための機構であり、本体２０の内部空間（峰部２２、鍔部２５、第２把持部４０の内部空間）を貫通して設けられている。リンク機構７０は、動作部５０と接続された第１連結部（リンクロッド）７１と、操作部６０と接続された第２連結部（リンクロッド）７２を有する。
【００２１】
第１連結部７１及び第２連結部７２は板状部材であり、高さ方向中央付近に、長手方向に沿って長円形状の切欠き７１１、７２１が設けられている。各切欠き７１１、７２１には、本体２０の内面や第２把持部４０の内面に設けられているガイドピン７３が遊嵌されている。このため、ガイドピン７３が切欠き７１１、７２１の前後端面に当接する範囲で、第１連結部７１及び第２連結部７２は本体２０の長手方向沿って移動可能となっている。なお、第１連結部７１及び第２連結部７２は、断面Ｌ字形状や厚さが薄い箱状など様々な形状のものを用いることができる。
【００２２】
第１連結部７１の後端部（動作部５０側）には、上向きに上支持台７１２が設けられ、下向きに下支持台７１３が設けられている。上支持台７１２の上端部には、上連結アーム７１４の前端部が軸支され、上連結アーム７１４の後端部は第１腕部５１において支軸５３よりも上側に軸支されている。同様に、下支持台７１３の下端部には、下連結アーム７１５の前端部が軸支され、下連結アーム７１５の後端部は第２腕部５２において支軸５３よりも下側に軸支されている。
【００２３】
第１連結部７１の前端部上側（第２連結部７２側の上部）には、第１連結部７１の移動を規制する移動規制部材７４が設けられている。なお、移動規制部材７４の上端部は、第２把持部４０に設けられている開口部４１から露出している（図１参照）。使用者が第２把持部４０を把持すると、開口部４１から露出した移動規制部材７４が同時に把持されて第１連結部７１の移動が規制され、それに連動して第２連結部７２の移動が規制されるため、動作部５０の動作を規制することができる。つまり、使用者が第２把持部４０を把持したとき、移動規制部材７４によって、第１連結部７１、第２連結部７２、動作部５０の移動および動作を阻止することが可能である。
【００２４】
第１連結部７１と第２連結部７２とは、間に回動軸７５１を中心として回動する回動アーム７５を介して接続されている。回動アーム７５の一端（下端）には第１連結部７１の前端部が回動可能に連結されており、回動アーム７５の他端（上端）には第２連結部７２の後端部が回動可能に連結されている。
また、第２連結部７２の前端部には、操作部６０が取り付けられている。操作部６０は、本体２０の上側に設けられており、ガイド部２４に沿って前後方向へ往復移動可能となっている。
【００２５】
次に、リンク機構７０の動作について説明する。図２に示すリンク機構７０では、操作部６０が後端位置にあり、ガイドピン７３は切欠き７２１の前端部に当接している。この状態では、動作部５０の第１腕部５１と第２腕部５２が離反した開状態となっている。この状態において、操作部６０を前方へ移動させると（図２において二点鎖線で表示、矢印Ａ１参照）、操作部６０が取り付けられている第２連結部７２が前方へ移動する（矢印Ｂ１参照）。このとき、ガイドピン７３が切欠き７２１に沿って相対的に後方へ移動する。これにより、第２連結部７２の後端部に連結されている回動アーム７５が、反時針方向へ回動する（矢印Ｃ１参照）。
【００２６】
回動アーム７５が回動すると、回動アーム７５の下端部に連結されている第１連結部７１が後方へ移動するので（矢印Ｄ１参照）、第１連結部７１の後端部に取り付けられている上連結アーム７１４及び下連結アーム７１５が後方へ移動する（矢印Ｅ１参照）。これにより、第１腕部５１及び第２腕部５２が、支軸５３を中心として互いに接近する方向に回動して閉じるので（矢印Ｆ１参照）、第１腕部５１及び第２腕部５２の協働によって物を掴むことができる。
【００２７】
一方、上述した閉状態において操作部６０を後方へ移動させると（図２において実線で表示、矢印Ａ２参照）、操作部６０が取り付けられている第２連結部７２が後方へ移動する（矢印Ｂ２参照）。これにより、第２連結部７２の後端部に連結されている回動アーム７５が、時針方向へ回動する（矢印Ｃ２参照）。
【００２８】
回動アーム７５が時針方向へ回動すると、回動アーム７５の下端部に連結されている第１連結部７１が前方へ移動するので（矢印Ｄ２参照）、第１連結部７１の後端部に取り付けられている上連結アーム７１４及び下連結アーム７１５が前方へ移動する（矢印Ｅ２参照）。これにより、第１腕部５１及び第２腕部５２が、支軸５３を中心として互いに離反する方向へ回動して開く（矢印Ｆ２参照）ので、第１腕部５１及び第２腕部５２は把持している物を解放する。
【００２９】
次に、動作玩具１０を用いた遊戯動作について説明する。
図３には、動作玩具１０をマジックハンドとして用いる場合が示されている。動作玩具１０をマジックハンドとして用いる場合には、使用者は一方の手Ｈ１（ここでは、例えば右手）で第１把持部３０の把持部材３１を把持する。同時に、他方の手Ｈ２（ここでは、左手）で操作部６０を把持して、左手Ｈ２を前後にスライドさせる。
【００３０】
図３に示す状態では、操作部６０は後端に位置しており、動作部５０の第１腕部５１及び第２腕部５２は離反した開状態である。この状態で、第１腕部５１と第２腕部５２との間に物を置き、操作部６０を引いて前進（図３中矢印Ａ参照）させると、第１腕部５１及び第２腕部５２が接近する方向へ回動して閉じる（図３中二点鎖線参照）ので、物を把持することができる。
一方、把持している物を解放する場合には、左手Ｈ２を後方へ移動させて操作部６０を後方へ移動させると、第１腕部５１及び第２腕部５２が離反する方向へ回動して開くので、物を解放することができる。
【００３１】
本実施形態に係る動作玩具１０では、動作部５０は、略Ｃ字状に形成された一対の第１腕部５１及び第２腕部５２を有しており、第１腕部５１及び第２腕部５２は、互いに凹部５１３、５２３が対向するように配置されている。そして、それぞれの先端面５１１、５２１が、支軸５３を中心として互いに近接離反するように回動可能となっている。このため、それぞれの先端面５１１、５２１を接近させることにより物を掴んだり、それぞれの先端面５１１、５２１を離反させることにより掴んだ物を放すことができ、マジックハンドとして用いることができる。
【００３２】
また、図４には、動作玩具１０を剣玩具として用いる場合が示されている。動作玩具１０を剣として用いる場合には、使用者は一方の手Ｈ１（ここでは、例えば右手）で第２把持部４０を把持する。このとき、同時に移動規制部材７４を把持するので、移動規制部材７４は前後方向の移動が阻止される（図２参照）。これにより、移動規制部材７４が取り付けられている第１連結部７１も移動が規制されるので、動作部５０は動作しない。
【００３３】
なお、動作玩具１０を剣玩具として用いる場合には、操作部６０を前端に移動させておくことにより、動作部５０の第１腕部５１及び第２腕部５２を閉じた状態としておくと剣らしくなるので好ましい。また、動作部５０を閉状態にしておくと、動作玩具１０を剣玩具として振り回したときに、第１腕部５１及び第２腕部５２がガタつくことを防止できる。
【００３４】
本実施形態に係る動作玩具１０では、本体２０の連続方向に沿った前側に第１把持部３０が設けられ、第１把持部３０よりも後側に設けられた操作部６０よりもさらに他端側に第２把持部４０が設けられている。また、第２把持部４０よりも後側には動作部５０が設けられており、動作部５０は、操作部６０の操作に連動して動作する。そして、使用者により第２把持部４０が把持された際には、本体２０に対する操作部６０の移動が規制されるようになっている。
【００３５】
また、本実施形態に係る動作玩具１０では、操作部６０及び動作部５０を連結する第１連結部７１及び第２連結部７２を有し、第２把持部４０に設けられた開口部４１から第１連結部７１の一部である移動規制部材７４が露出している。これにより、第２把持部４０を把持したときには、同時に移動規制部材７４も把持されるため、第１連結部７１及び第２連結部７２の移動を規制し、本体２０に対する操作部６０の移動を規制することが可能である。
【００３６】
本実施形態に係る動作玩具において、第２把持部４０を把持して剣玩具として使用する場合には、動作部５０の操作部６０の移動を規制することが可能であるため、第１腕部５１及び第２腕部５２が開閉してバタつき邪魔になることを防ぐことが可能である。
【００３７】
また、本実施形態に係る動作玩具において、第１把持部３０を把持したときには、操作部６０の操作により動作部５０を動作させることができるマジックハンドとして用いることが可能である。一方、第２把持部４０を把持したときには、操作部６０の移動が規制され、動作部５０の第１腕部５１及び第２腕部５２が動作しない剣玩具として用いることが可能である。
【００３８】
本実施形態に係る動作玩具によると、第１把持部３０を把持した場合と、第２把持部４０を把持した場合とで、それぞれ異なる遊びを提供することができ、興趣性の高い動作玩具を提供することが可能である。
【００３９】
また、本実施形態に係る動作玩具によると、動作玩具１０をマジックハンドとして用いる場合には、使用者が第１把持部３０を把持した状態で操作部６０を操作するため、第２把持部４０開口部４１から露出す移動規制部材７４の動作を阻害することなく、動作部５０である第１腕部５１及び第２腕部５２を開閉することができる。
【００４０】
また、本実施形態では、動作玩具１０を剣玩具として用いる場合（第２把持部を把持して使用する場合）には、使用者の掌（例えば、右手Ｈ１）が開口部４１から露出している移動規制部材７４に接する位置に配置されている。このような位置に配置することにより、使用者の指の腹を移動規制部材７４に接触させて移動規制部材７４の移動を規制する場合に比較して、移動規制部材７４を確実に押さえ付けることが可能であり、第１連結部７１や第２連結ロッド７２の移動を確実に規制することができる。
【００４１】
本実施形態の動作玩具によると、複数の把持部（第１把持部３０及び第２把持部４０）を有する新たな動作玩具１０を提供することができる。なお、本発明の動作玩具１０は、前述した実施形態に限定されるものでなく、適宜な変形，改良等が可能である。例えば、前述した実施形態においては、本体２０が直線状の剣の場合について説明したが、Ｌ字形状や湾曲している場合にも同様に適用できる。また、第１把持部、操作部、第２把持部、動作部等の配置は、本実施形態の配置に限定されず、例えば、第1把持部と操作部の位置を入れ替えることも可能である。
【００４２】
また、前述した実施形態においては、動作部５０が、第１腕部５１と第２腕部５２とが開閉することにより、離れた位置にある物を把持するマジックハンドである場合を説明したが、これに限るものではない。例えば、ナイフが飛び出す飛び出しナイフや、矢が飛び出す弓や、刃を回転させて穴をあけるドリルや、複数の銃身を回転させて弾を発するガトリング銃等にも適用できる。また、動作部５０の動作に応じて、操作部も回転操作やトリガー操作可能な構造などに適宜変更することが可能である。このようにしても、前述した実施形態と同様の作用、効果を得ることができる。
【符号の説明】
【００４３】
１０  動作玩具
２０  本体
３０  第１把持部
４０  第２把持部
４１  開口
５０  動作部
５１  第１腕部（挟持片）
５１１、５２１  先端面（一端部）
５１３、５２３  凹部
５２  第２腕部（挟持片）
５３  支軸（連続方向に対して略直交する軸）
６０  操作部
７１  第１連結部（リンクロッド）
７２  第２連結部（リンクロッド）
７４  移動規制部材
【図１】
2020089761.tif 000003
【図２】
2020089761.tif 000004
【図３】
2020089761.tif 000005
【図４】
2020089761.tif 000006